(57)【要約】      （修正有）【課題】ボックスの内６面が平面のオープン状態で展示台になり、ボックス状態ではボックス内の展示物の運搬、移動が容易なキャリングボックスを提供する。【解決手段】２枚の矩形パネル１と１枚の正方形パネル２からなる３面のパネルを相互に開閉機能を有する蝶番等で構成した３面展示パネル２台を１組として、平面状態の板厚面を連結した６面のパネルで平面状の展示台を構築する。また、蝶番等の開閉具により３枚のパネルが直角に隣り合う半ボックス状態の３面展示パネル２台を接合具やバンド８で相互に合体させて分離を防ぎ、ハンドル７による可搬が容易なキャリングボックスとする。【選択図】図３
0003231651.tif 000002
【実用新案登録請求の範囲】
【請求項１】
同型、同厚の矩形パネル二枚と、該矩形パネルのいずれかの一辺の長さを一辺とする同厚の正方形パネル一枚の各々に開閉具と接合具を備えた３面展示パネルにおいて、該３面展示パネル２台を１組として、２台を連接した平面状態の展示台が該開閉具と該接合具を介して平面状態の該展示台が立体的な合体で立方体もしくは直方体のボックス状態に組み立て可能な構造であることを特徴とするキャリングボックス。
【請求項２】
平面状態の前記３面展示台パネルを複数連ねて拡張可能な連接構造であることを特徴とする請求項１記載のキャリングボックス。
【考案の詳細な説明】
【技術分野】
【０００１】  本考案は平面状態の展示台を組み立てて移動と運搬と収納ができるキャリングボックスに関するものである。
【背景技術】
【０００２】  一般的な展示台は、展示物の設置スペースは底面のみが多数で、鑑賞範囲は開口部の正面の鑑賞が多く展示に死角がある。
【先行技術文献】
）
【特許文献】
【特許文献】）
【０００３】
【特許文献１】実用新案登録３２１５４０６号公報
【考案の概要】
【課題を解決しようとする課題】
【０００４】  特許文献１のキャリングボックスはボックスを構成する板部材が固定されている事で背景画などで情景を演出できるが、正面以外の側面と裏側からは鑑賞が出来ずらい。以上を改善することを課題とする。
【課題を解決するための手段】
【０００５】  課題について、キャリングボックスを構成する該板部材の相互に開閉具を装着して分離を防ぎ、該板部材の可動を可能にしてオープン状態の平面状にすれば該板部材の上面すべてが死角の無い展示台に展開できる。
【考案の効果】
【０００６】  請求項１に記載の考案は、該矩形パネル２台と該正方形パネル１台を平面状に並べた該３面展示パネルの各々のパネルが展示スペースとして確保ができて、該３面展示パネル２台を連接合体させれば長方形の死角の無い展示効果がある。
【０００７】  また、該正方形パネルの１辺が２つの該矩形パネルの１辺と一致する事で、３面を直角の立体にした半ボックス体を合体をさせることで、ボックス状態の安全に移動や運搬が可能になり内部に収納した展示物は破損を防ぐ効果がある。
【０００８】  請求項２に記載の考案は、該３面展示パネルの該矩形パネルの板厚面、該正方形パネルを平面状態に並べ複数を連結させる事で、連続性のある長尺物や展示点数を増やせて無限に広範囲な表現効果がある。
【図面の簡単な説明】
【０００９】
【図１】本考案の３面展示パネル１台平面状態の略構造斜視図である。
【図２】半ボックス体の組立斜視図である。
【図３】キャリングボックス例の外観斜視図である。
【図４】３面展示パネル２台の付随具の詳細構造図である。
【図５】３面展示パネル２台の基本と拡張例図である。
【考案を実施するための形態】
【００１０】  該３面展示パネルの形態は、同厚の該矩形パネル２枚と該正方形パネル１枚で構成する該３面展示パネルの２台と付随する該開閉具と該固定具とバンドとハンドルで構成する該キャリングボックス。
【実施例】
【００１１】  以下、添付図面に従って実施例を説明する。図１に示す該３面展示パネル１台の平面状態の略構造斜視図で、パネル１とパネル２各々を図４に示す該開閉具３で接合した基本形で各々のパネルの材質は木材、段ボール、プラスチック、発泡材、金属等で該キャリングボックスの形態が維持可能な材料で強度があり板厚が薄く軽量であることが望ましい。【００１２】  図２に示す該３面展示パネルの２台の該キャリングボックスで、合体、分離の略構造斜視図で、図１に示す該３面展示パネル１，２を直角の該半ボックス体で、該３面展示パネル２台を合体させて、該パネル内面が立方体もしくは直方体を形成する。また、展示物を内に固定する場合は展示物が隣り合う該パネル上の展示物双方が接触しないように配慮して配置する事が望ましい。【００１３】  図３に示す該キャリングボックスの完成例斜視図は、図２に示す該３面展示パネル２台を合体させ、図４に示す該付随具の該開閉具３、該接合具４、該ダボ５、該バンド８を２本、ハンドル７を１本使用した該キャリングボックスの外観例斜視図である。【００１４】  また、該キャリングボックスの大きさにより該付随具のサイズや強度、複数個の設置で安定度を高める事で、該バンド８の材質は布製またはゴム系等で一般的な市販品の使用が可能で、図３の４枚の該矩形パネルに対して最短に一巡してバンドに付属する止め具で固定化する。【００１５】  また、該ハンドル７は該３面展示パネル１と２のいずれかに設置して、オープンな展示状態の突起物にならないように埋め込みタイプで設置する。【００１６】  図４に示す該３面展示パネル２台の合体、分離の接合、開閉個所の詳細図で、２台の該３面展示パネル１と２に蝶番等の該開閉具３で、図１のパネル１と２の２枚を直角に合わせるＬ金具等の該接合具４に該ダボ穴６を設置して該ダボ５を通し該３面展示パネル２台を図３の状態まで合体させる。分離は合体の逆操作で行なう。【００１７】  図５に示す該３面展示パネルの２台１組の基本形２０は、図１の該３面展示パネル２台の各々該正方形パネル２を向い合わせ凸凹に合体させて展示形状が長方形になる平面状態の該キャリングボックスである。【００１８】  次の図５に示す拡張形３０は、該矩形パネルの各々１辺どうしを接合した該正方形パネル２台が外側に位置する左右対称の拡張形である。【００１９】  次の図５に示すＬ形拡張形４０は、該拡張形３０の該正方形パネルを９０度角のＬ形に接合した該拡張形３０の該３面展示パネル２台で、該正方形パネルが展示台の外枠の直角位置になる形態例で、９０度角に接合することで連続性を維持しながら接合面の一致による展示台が可能になり、３面展示パネルは直角２面双方を接合させる事でズレが少ない確実性が確保できる。【００２０】  また、基本形２０、拡張形３０、拡張形４０を相互に複数台連ねることで無限に拡張可能である。またパネル相互の接合、連接、連結はダボ、枠組、磁石、ファスナー、ラッチ、スライドバー等の装着で該パネルの合体、分離が可能な部材機構を使用する。【００２１】  また、該キャリングボックスの該付随具は公知公用で機能を有する一般的な機材が使用可能である。
【産業上の利用可能性】
【００２２】  常設のオープンな展示物を該３面展示パネルのパネル枚数分に分割する事で、安全に移動、収納、保管する事が可能になる。
【符号の説明】
【００２３】１  矩形パネル
２  正方形パネル
３  開閉具
４  接合具
５  ダボ
６  ダボ穴
７  ハンドル
８  バンド
２０  ３面展示パネル基本形平面図
３０  ３面展示パネル拡張形平面図
４０  ３面展示パネルＬ形拡張例平面図
【図１】
0003231651.tif 000003
【図２】
0003231651.tif 000004
【図３】
0003231651.tif 000005
【図４】
0003231651.tif 000006
【図５】
0003231651.tif 000007